(57)【要約】【課題】  設置が容易で、動作モードの設定操作を確実かつ容易にでき、かつ、他人が動作モードの設定をする危険性が少ない動作モード切替装置および自動扉制御装置を提供すること。【解決手段】  動作モード切替装置２０は、入力回路２１、受光部２２、コントローラ２３および出力回路２５を１パッケージの形態で備える。この動作モード切替装置２０は、１パッケージの形態であるので、設置が容易で、リモコン４０を用いて、操作性のよい箇所で遠隔操作をすることができて、動作モードの設定操作を確実容易にできる。また、この動作モード切替装置は、他人が手で操作できない箇所に設置して、他人のいたずらによる破壊を防止できる。【選択図】  図１
2005290732.tif 000002
【特許請求の範囲】
【請求項１】
内センサおよび外センサからの検出信号を受ける入力回路と、
外部から、少なくとも、双方向通行モード、入口一方通行モード、出口一方通行モードおよび動作禁止モードを表すモード信号を受ける受信装置と、
上記受信装置からのモード信号と上記入力回路からの検出信号に基づいて、自動扉を制御するための制御信号を作成して出力するコントローラと、
上記コントローラから上記制御信号を受けて、扉を開閉する信号を駆動制御装置に出力する出力回路と
を１パッケージの形態で備えることを特徴とする動作モード切替装置。
【請求項２】
請求項１に記載の動作モード切替装置において、
上記双方向通行モード、入口一方通行モード、出口一方通行モードおよび動作禁止モードの少なくとも１つを入力するためのモードスイッチを備えることを特徴とする動作モード切替装置。
【請求項３】
請求項１または２に記載の動作モード切替装置において、
上記モード信号は、さらに、半開動作モード、開放モードおよびバッテリ接続モードの少なくとも一つを表すことを特徴とする動作モード切替装置。
【請求項４】
請求項１乃至３のいずれか１つに記載の動作モード切替装置において、
少なくとも、上記双方向通行モード、入口一方通行モード、出口一方通行モードおよび動作禁止モードを表示するモード表示部を備えることを特徴とする動作モード切替装置。
【請求項５】
建物からの退場者を検出する内センサと、
建物への入場者を検出する外センサと、
請求項１乃至４のいずれか１つに記載の動作モード切替装置と、
上記動作モード切替装置に上記モード信号を送信する送信装置と、
上記出力回路から、扉を開閉する信号を受けて、自動扉の駆動を制御する駆動制御装置と
を備えることを特徴とする自動扉制御装置。
【発明の詳細な説明】
【技術分野】
【０００１】
この発明は、自動扉の動作モードを切り替えるための動作モード切替装置および自動扉制御装置に関する。
【背景技術】
【０００２】
従来、自動扉制御装置としては図９に示すものがある。この自動扉制御装置は、扉の内側に設けた内センサ１によって、建物からの退場者を検出したときに、上記内センサ１からの検出信号を駆動制御装置２に送って、扉を開放起動すると共に、扉の外側に設けた外センサ３によって、建物への入場者を検出したときに、上記外センサ３からの検出信号を駆動制御装置２に送って、扉を開放起動するようにしている。また、事務所や商店、娯楽施設への入退場を強制的に禁止するための動作禁止スイッチ５を設け、この動作禁止スイッチ５を動作停止側（オフ側）に操作することによって、内センサ１および外センサ３からの検出信号の駆動制御装置２への入力を遮断して、自動扉を閉鎖状態にして動作を停止するようにしている。また、タイマー接点６を設けて、事務所や商店、娯楽施設の営業終了後の１０数分間の後に、このタイマー接点６をオフにすることによって、営業終了後１０数分経過した後は、外センサ３からの検出信号の駆動制御装置２への入力を遮断して、入場を禁止して、退場のみを許可するようにしている。さらに、手動の開放スイッチ７を設けて、この開放スイッチ７をオン側に手操作して、荷物の運搬時等に、自動扉を開放状態に保持できるようにしている。バッテリスイッチ８は、通常運転中は閉としておき、駆動制御装置２の商用電源が供給されているときは充電し、商用電源が無くなると放電し、火災時の非常開放や防火戸の非常閉鎖動作を行う。営業終了時、スイッチ８は開とし非常動作を行わないようにしている。
【０００３】
しかしながら、上記自動扉制御装置では、上記動作禁止スイッチ５、タイマー接点６、開放スイッチ７およびバッテリスイッチ８が単体の別々のスイッチであるため、上記スイッチ５，６，７，８の設置が困難で、設定操作を間違えたり、スイッチ５，６，７，８の設定操作忘れがあるという問題がある。さらに、上記スイッチ５，６，７，８は担当者が手動操作できる位置に設けているため、担当者以外の他人が操作してしまう危険性があるという問題がある。
【特許文献１】特開２００２−２８５７５６号公報
【発明の開示】
【発明が解決しようとする課題】
【０００４】
そこで、この発明の課題は、設置が容易で、双方向通行モード、入口一方通行モード、出口一方通行モードや動作禁止モード等の動作モードの設定操作を確実かつ容易にでき、かつ、動作モードの設定操作忘れが起こりにくく、かつ、担当者以外の他人が動作モードの設定をする危険性が少ない動作モード切替装置および自動扉制御装置を提供することにある。
【課題を解決するための手段】
【０００５】
上記課題を解決するため、この発明の動作モード切替装置は、
内センサおよび外センサからの検出信号を受ける入力回路と、
外部から、少なくとも、双方向通行モード、入口一方通行モード、出口一方通行モードおよび動作禁止モードを表すモード信号を受ける受信装置と、
上記受信装置からのモード信号と上記入力回路からの検出信号に基づいて、自動扉を制御するための制御信号を作成して出力するコントローラと、
上記コントローラから上記制御信号を受けて、扉を開閉する信号を駆動制御装置に出力する出力回路と
を１パッケージの形態で備えることを特徴としている。
【０００６】
上記構成の動作モード切替装置は、上記入力回路、受信装置、コントローラおよび出力回路を１パッケージの形態で備えるので、設置が容易である。
【０００７】
また、この動作モード切替装置は、受信装置を備えるので、例えば、赤外線リモコン等の送信装置を用いて、操作性のよい箇所で遠隔操作をすることができ、かつ、１パッケージの形態であるので、動作モードの設定操作を確実容易にでき、かつ、動作モードの設定操作を忘れにくい。
【０００８】
また、この動作モード切替装置は、受信装置を備えるので、人間が手で操作できない箇所に設置して、他人が勝手に動作モードを設定するのを防止でき、また、他人のいたずらによる破壊を防止できる。
【０００９】
１実施の形態の動作モード切替装置は、上記双方向通行モード、入口一方通行モード、出口一方通行モードおよび動作禁止モードの少なくとも１つを入力するためのモードスイッチを備えている。
【００１０】
上記実施の形態によれば、上記モードスイッチを備えるので、送信装置を用いなくても、モードを設定することができる。
【００１１】
１実施の形態の動作モード切替装置において、上記モード信号は、さらに、半開動作モード、開放モードおよびバッテリ接続モードの少なくとも一つを表す。
【００１２】
上記実施の形態によれば、さらに、上記半開動作モード、開放モードおよびバッテリ接続モードの少なくとも一つを設定することができる。
【００１３】
１実施の形態の動作モード切替装置において、少なくとも、上記双方向通行モード、入口一方通行モード、出口一方通行モードおよび動作禁止モードを表示するモード表示部を備える。
【００１４】
上記実施の形態によれば、上記モード表示部を備えるので、現在の自動扉の動作モード状態を容易に確認することができる。
【００１５】
この発明の自動扉制御装置は、
建物からの退場者を検出する内センサと、
建物への入場者を検出する外センサと、
上記動作モード切替装置と、
上記動作モード切替装置に上記モード信号を送信する送信装置と、
上記出力回路から、扉を開閉する信号を受けて、自動扉の駆動を制御する駆動制御装置と
を備えることを特徴としている。
【００１６】
上記構成の自動扉制御装置によれば、遠隔操作できる１パッケージの形態の上記動作モード切替装置を備えるので、上記動作モード切替装置の設置が容易で、かつ、動作モードの設定操作を確実容易にでき、かつ、動作モードの設定操作を忘れにくく、かつ、他人が勝手に動作モードを設定するのを防止できて、他人のいたずらによる破壊を防止できる。
【発明の効果】
【００１７】
この発明の動作モード切替装置および自動扉制御装置は、設置が容易で、動作モードの設定操作を確実かつ容易にでき、かつ、動作モードの設定操作忘れが起こりにくく、かつ、担当者以外の他人が動作モードの設定をする危険性が少ないという利点を有する。
【発明を実施するための最良の形態】
【００１８】
以下、この発明を図示の実施の形態により詳細に説明する。
【００１９】
この自動扉制御装置は、図１に示すように、自動扉の内側に設けられて建物からの退場者を検出する内センサ１と、自動扉の外側に設けられて建物への入場者を検出する外センサ３と、動作モード切替装置２０と、送信装置の一例としての赤外線式のリモコン４０と、自動扉を駆動制御する駆動制御装置５２とを備える。
【００２０】
上記動作モード切替装置２０は、上記内センサ１および外センサ３からの検出信号を受ける入力回路２１と、上記リモコン４０から、双方向通行モード、入口一方通行モード、出口一方通行モードおよび動作禁止モード等を表すモード信号を受ける受信装置の一例としての受光部２２と、上記受光部２２からのモード信号と上記入力回路２１からの検出信号に基づいて、自動扉を制御するための制御信号を作成して出力する例えばマイクロプロセッサやＣＰＵ（中央処理装置）からなるコントローラ２３と、上記コントローラ２３から制御信号を受けて、扉を開閉するための信号を接点２６，２７，２８を介して駆動制御装置５２に出力する出力回路２５とを備える。上記接点２６は、自動扉の起動信号を出力するための接点であり、接点２７をバッテリ１０を駆動制御装置５２に接続するための接点であり、接点２７は冷暖房の効率を高めて省エネを達成するために自動扉を半開まで動作させる半開モードを指令するための接点である。
【００２１】
さらに、上記動作モード切替装置２０は、現在の動作モードをランプ表示するモード表示部３１と、上記リモコン４０を無くしたときにモードを設定するために使用するモードスイッチの一例としての押し釦３３と、アドレススイッチ３２とを備える。このアドレススイッチ３２で設定されたアドレスと同じコードをリモコン４０に入力しないと、リモコン４０を他人が操作しても、動作モード切替装置２０はプロテクトがかかって動作しないようになっている。また、案内表示部３５は、自動扉の付近に設けられるもので、コントローラ２３からの信号を受けて、図５に示すように、現在の自動扉の状況を表示する。
【００２２】
一方、上記コントローラ２３が受けるモード信号は、図２に示すように、入口一方通行モード、出口一方通行モード、双方向通行モード、半開動作モード、開放モード、バッテリ接続モードおよび動作禁止モードを表す。図２に示すように、上記入口一方通行モードは、外センサ３をオン（エイブル状態）にし、内センサ１をオフ（ディスエイブル状態）にして入場者にのみ自動扉を開くモードであり、出口一方通行モードは、外センサ３をオフにし、内センサ１をオンにして退場者にのみ自動扉を開くモードであり、双方向通行モードは、外センサ３および内センサ１をオンにして入退場者に自動扉を開くモードである。また、上記半開動作モードは、半開モード用の上記接点２８をオン（またはオフ）にすることによって選択することができ、また、開放モードは、図１の接点２６をオンにすることによって、荷物の運搬時などに自動扉を全開状態に保持するモードである。また、バッテリ接続モードは、バッテリ用の上記接点２８をオンにするモードであり、動作禁止モードは全てのセンサおよび接点をオフにして、自動扉の動作を禁止するモードである。
【００２３】
一方、上記動作モード切替装置２０は、図３に示すように、１パッケージの形態をしている。ここで、１パッケージの形態とは、筐体にコントローラ２３、入力回路２１、出力回路２５、モード表示部３１、受光部２２、押し釦３３、アドレススイッチ３２等を収容したものであってもよく、あるいは、これらを樹脂でモールドしたものであってもよい。
【００２４】
また、上記リモコン４０は、図４に示すように、入口一方通行モードの選択用の釦４１、出口一方通行モードの選択用の釦４２、双方向通行モードの選択用の釦４３、開放モードの選択用の釦４４、半開動作モードの選択用の釦４５、動作禁止モードの選択用の釦４６、バッテリ接続モードの選択用の釦４７、アドレスコードを入力するための数字キー４８およびプロテクトを施錠または開錠するためのプロテクト釦４９を備えている。
【００２５】
図６は、上記動作モード切替装置２０を一般のオフィスに取り付けたもので、受付カウンタ７０からリモコン４０を操作して、双方通行モードや動作禁止モードなどを選択することができる。
【００２６】
このとき、上記動作モード切替装置２０は１パッケージの形態をしているから、高い箇所等であっても設置が容易である。
【００２７】
また、上記動作モード切替装置２０はリモコン４０で操作するものであるから、
リモコン４０を操作性のよい箇所で操作して、高所の動作モード切替装置２０を遠隔操作をすることができて、動作モードの設定操作を確実容易にでき、かつ、動作モードの設定操作を忘れにくい。
【００２８】
また、この動作モード切替装置２０は、リモコン４０で操作されるものであるから、人間が手で操作できない箇所に設置して、他人が勝手に動作モードを設定するのを防止でき、また、他人のいたずらによる破壊を防止できる。
【００２９】
さらに、上記動作モード切替装置２０は、アドレススイッチ３２を備え、リモコン４０は、プロテクト釦４９と数字キー４８とを備えるので、担当者以外は、プロテクト釦４９を押しても、正確なアドレスコードを入力できないから、他人の誤動作やいたずらを防止できる。
【００３０】
また、上記動作モード切替装置２０は、モードスイッチとしての押し釦３３を有するから、リモコン４０を無くしても、動作モードを設定することができる。
【００３１】
また、上記動作モード切替装置２０は、モード表示部３１を有するから、現在の自動扉６０の動作モード状態を容易に確認できる。
【００３２】
図７は、劇場等の複数の出入り口がある場合の使用方法を示し、例えば、上記動作モード切替装置２０を入口一方通行モード（開演前）や開放モード（終了後の退館）を設定する。また、複数の自動扉６０，６０のための複数の動作モード切替装置２０，２０を近接して並べて配置すると、一つのリモコン４０で複数の動作モード切替装置２０，２０を操作することができる。
【００３３】
図８は、上記動作モード切替装置２０を無目に取り付けた例を示し、無目の上部またはサイドカバーに取り付けて、動作モードの確認がし易く、かつ、他人がいたずら等で操作しにくくしたものである。
【００３４】
上記実施の形態では、送信装置として赤外線式のリモコンを用いたが、超音波式や無線式のリモコンを用いてもよい。
【図面の簡単な説明】
【００３５】
【図１】図１はこの発明の１実施の形態の自動扉制御装置のブロック図である。
【図２】図２は動作モードと、センサおよび接点との関係を示す図である。
【図３】図３はこの発明の１実施の形態の動作モード切替装置の正面図である。
【図４】図４はこの発明の１実施の形態のリモコンの正面図である。
【図５】図５は案内の表示例を示す図である。
【図６】図６は動作モード切替装置の設置例を示す図である。
【図７】図７は動作モード切替装置の設置例を示す図である。
【図８】図８は動作モード切替装置の設置例を示す図である。
【図９】図９は従来の自動扉制御装置のブロック図である。
【符号の説明】
【００３６】
１    内センサ
３    外センサ
１０  バッテリ
２０  動作モード切替装置
２１  入力回路
２２  受光部
２３  コントローラ
２５  出力回路
３１  モード表示部
４０  リモコン
５２  駆動制御装置
【図１】
2005290732.tif 000003
【図２】
2005290732.tif 000004
【図５】
2005290732.tif 000005
【図６】
2005290732.tif 000006
【図７】
2005290732.tif 000007
【図８】
2005290732.tif 000008
【図９】
2005290732.tif 000009
【図３】
2005290732.tif 000010
【図４】
2005290732.tif 000011